(57)【要約】【課題】  お気に入り画像の配列順序を撮影順から可変とすることで、種々の比較を容易に行える画像選択システムを提供する。【解決手段】  この画像選択システムには、撮影画像の画像信号を出力する撮影手段と、画像信号を画像データとして記憶する記憶手段と、記憶手段中の画像データから少なくとも１つの画像データを指定する画像データ指定手段とが備えられている。そして、画像選択システムには、画像データを読み出す読出手段と、画像データを画像として表示する読出画像表示手段と、読出画像表示手段で表示された画像を選択し、当該画像をお気に入り画像として登録するお気に入り画像登録手段とが備えられている。また、画像選択システムには、お気に入り画像登録手段により登録された画像を表示するお気に入り画像表示手段と、お気に入り画像登録手段に表示される画像の表示位置をユーザの操作に基づいて指定する表示位置指定手段とが備えられている。【選択図】図１
2006025383.tif 000002
【特許請求の範囲】
【請求項１】
被写体を撮影し、当該撮影画像の画像信号を出力する撮影手段と、
前記画像信号を画像データとして記憶する記憶手段と、
前記記憶手段に記憶された複数の前記画像データから、少なくとも１つの前記画像データを指定する画像データ指定手段と、
前記画像データ指定手段で指定された前記画像データを読み出す読出手段と、
前記読出手段で読み出された前記画像データを画像として表示する読出画像表示手段と、
前記読出画像表示手段で表示された画像を選択し、当該画像をお気に入り画像として登録するお気に入り画像登録手段と、
前記お気に入り画像登録手段により登録された画像を表示するお気に入り画像表示手段と、
前記お気に入り画像登録手段に表示される画像の表示位置をユーザの操作に基づいて指定する表示位置指定手段とを備えることを特徴とする画像選択システム。
【請求項２】
請求項１記載の画像選択システムにおいて、
前記表示位置指定手段は、前記表示位置を順不同で指定することを特徴とする画像選択システム。
【請求項３】
請求項１記載の画像選択システムにおいて、
前記表示位置指定手段は、前記表示位置を所定の順で指定することを特徴とする画像選択システム。
【請求項４】
請求項１記載の画像選択システムにおいて、
前記表示位置指定手段は、前記表示位置の指定を所定の順若しくは順不同で行うことを選択可能であることを特徴とする画像選択システム。
【請求項５】
請求項４記載の画像選択システムにおいて、
前記表示位置指定手段は、前記表示位置の指定を開始する際には、前記表示位置を所定の順で指定するように予め設定していることを特徴とする画像選択システム。
【請求項６】
被写体を撮影し、当該撮影画像の画像信号を出力する撮影手段と、
前記画像信号を画像データとして記憶する記憶手段と、
前記記憶手段に記憶された複数の前記画像データから、少なくとも１つの前記画像データを指定する画像データ指定手段と、
前記画像データ指定手段で指定された前記画像データを読み出す読出手段と、
前記読出手段で読み出された前記画像データを画像として表示する読出画像表示手段と、
前記読出画像表示手段で表示された画像を選択し、当該画像をお気に入り画像として登録するお気に入り画像登録手段と、
前記お気に入り画像登録手段により登録された画像を表示するお気に入り画像表示手段と、
前記お気に入り画像登録手段に表示される複数の画像をグループ化し、当該グループ毎に画像がまとまって表示されるように前記画像の表示位置を指定するグループ表示位置指定手段とを備えることを特徴とする画像選択システム。
【請求項７】
被写体を撮影し、当該撮影画像の画像信号を出力する撮影手段と、
前記画像信号を画像データとして記憶する記憶手段と、
前記記憶手段に記憶された複数の前記画像データから、少なくとも１つの前記画像データを指定する画像データ指定手段と、
前記画像データ指定手段で指定された前記画像データを読み出す読出手段と、
前記読出手段で読み出された前記画像データを画像として表示する読出画像表示手段と、
前記読出画像表示手段で表示された画像を選択し、当該画像をお気に入り画像として登録するお気に入り画像登録手段と、
前記お気に入り画像登録手段により登録された画像を表示するお気に入り画像表示手段と、
前記お気に入り画像登録手段に表示される画像の表示位置をランダムに指定するランダム表示位置指定手段とを備えることを特徴とする画像選択システム。
【請求項８】
請求項１〜７のいずれか一項に記載の画像選択システムにおいて、
前記読出画像表示手段は前記画像データ指定手段により指定された前記画像データを画像として一覧で表示することを特徴とする画像選択システム。
【請求項９】
請求項８記載の画像選択システムにおいて、
前記お気に入り画像登録手段で選択された画像を、お気に入り画像として登録される以前に表示する登録前表示手段を備えることを特徴とする画像選択システム。
【請求項１０】
請求項１〜９のいずれか一項に記載の画像選択システムにおいて、
前記お気に入り画像登録手段には、前記読出画像表示手段及び前記お気に入り画像表示手段の少なくとも一方の、一度に表示される画像数を指定する表示画像数指定部が設けられ、
前記読出画像表示手段及び前記お気に入り画像表示手段は、前記表示画像数指定部で指定された画像数を基に画像を表示することを特徴とする画像選択システム。
【発明の詳細な説明】
【技術分野】
【０００１】
本発明は、画像選択システムに係り、特に、複数の撮影画像を顧客に提示してプリント画像を選択させる画像選択システムに関する。
【背景技術】
【０００２】
従来より、写真館では記念撮影のため来店した顧客を撮影、プリントする業務を行っているが、顧客が必要とする画像は、撮影された画像の全てであることは少ないため、銀塩写真の場合には、現像した後に、顧客に撮影画像を確認、選択してもらってから、選択画像をプリントするようになっていた。つまり、プリント以前に全ての撮影画像を現像せねばならず、そのための時間や経費がかかってしまっていた。
【０００３】
近年、デジタルカメラの機能向上に伴って、撮影時にデジタルカメラが用いられるようになっている。デジタルカメラで得られた画像データを基にすれば、現像しなくとも顧客に撮影画像を提示することができ、結果として時間や経費を抑えることが可能となった。
ここで、デジタルカメラを用いた撮影システムであると、プレゼン用のモニタに撮影画像が一覧で表示され、顧客はそのモニタ内の画像から自分の好みに合った画像を選択し、お気に入り画像として登録するようになっている（例えば特許文献１参照）。顧客によって選択されたお気に入り画像は、随時注文確認用のモニタに移行され、選択が終了すると注文確認用のモニタにはお気に入り画像の一覧が映し出されることになる。顧客は、お気に入り画像の一覧を再度確認してプリントするか否かを決定するようになっている。
【特許文献１】特開２０００−２３０８６号公報
【発明の開示】
【発明が解決しようとする課題】
【０００４】
しかしながら、注文確認用モニタには、お気に入り画像が撮影順に配列されるために、最も比較が容易な隣接した画像同士では経時的な比較はしやすいものの、それ以外の比較が困難であった。
【０００５】
本発明の課題は、お気に入り画像の配列順序を撮影順から可変とすることで、種々の比較を容易に行える画像選択システムを提供することである。
【課題を解決するための手段】
【０００６】
請求項１記載の発明における画像選択システムは、
被写体を撮影し、当該撮影画像の画像信号を出力する撮影手段と、
前記画像信号を画像データとして記憶する記憶手段と、
前記記憶手段に記憶された複数の前記画像データから、少なくとも１つの前記画像データを指定する画像データ指定手段と、
前記画像データ指定手段で指定された前記画像データを読み出す読出手段と、
前記読出手段で読み出された前記画像データを画像として表示する読出画像表示手段と、
前記読出画像表示手段で表示された画像を選択し、当該画像をお気に入り画像として登録するお気に入り画像登録手段と、
前記お気に入り画像登録手段により登録された画像を表示するお気に入り画像表示手段と、
前記お気に入り画像登録手段に表示される画像の表示位置をユーザの操作に基づいて指定する表示位置指定手段とを備えることを特徴としている。
【０００７】
請求項１記載の発明によれば、お気に入り画像として登録された画像の表示位置が、ユーザの操作に基づいて指定されるので、お気に入り画像を撮影順以外の基準で配列することが可能となる。したがって、比較の容易な隣接画像同士を経時的な変化以外で比較することができる。
通常、撮影時においては、化粧、ヘアスタイル、衣装等の容姿に関わる変更や、照明に関する変更には時間や手間がかかる。一方、人物構成、ポーズ、背景色、使用小道具、カメラの設定条件などは容易に変更することが可能である。そのため、効率的な撮影を行うには、同じ容姿、照明で、ポーズや使用小道具などを変えて様々なシーンを撮影してから、容姿、照明を変更し再度複数のシーンを撮影することになる。つまり、時系列的には同一の容姿或いは照明での撮影が続くことになる。ところで、容姿や照明が異なっていたとしても、ポーズや背景色が同じ場合もあるが、従来ではお気に入り画像として登録した際、撮影順に並んでしまうので、同一のポーズや背景色の画像を隣接させて表示させることは困難であった。しかしながら、上述したようにお気に入り画像として登録された画像の表示位置が、ユーザの操作に基づいて指定できれば、ユーザの意図する基準でお気に入り画像を配列できるために、例えば同一のポーズや背景色の画像を隣接させて表示することが容易に行うことができる。
【０００８】
請求項２記載の発明は、請求項１記載の画像選択システムにおいて、
前記表示位置指定手段は、前記表示位置を順不同で指定することを特徴としている。
【０００９】
請求項２記載の発明によれば、お気に入り画像登録手段に表示される画像の表示位置を、表示位置指定手段が順不同で指定するので、ユーザの意図する順序で表示位置を指定することが可能となる。
【００１０】
請求項３記載の発明は、請求項１記載の画像選択システムにおいて、
前記表示位置指定手段は、前記表示位置を所定の順で指定することを特徴としている。
【００１１】
請求項３記載の発明によれば、お気に入り画像登録手段に表示される画像の表示位置を、表示位置指定手段が所定の順で指定するので、ユーザにより指定順序が入力される操作工程を省略することができ、表示位置の指定にかかる時間を短縮することが可能となる。
【００１２】
請求項４記載の発明は、請求項１記載の画像選択システムにおいて、
前記表示位置指定手段は、前記表示位置の指定を所定の順若しくは順不同で行うことを選択可能であることを特徴としている。
【００１３】
請求項４記載の発明によれば、表示位置指定手段では、表示位置の指定を所定の順若しくは順不同で行うことが選択可能であるために、表示位置の指定を行う度に最適な指定順序を選択することができる。
【００１４】
請求項５記載の発明は、請求項４記載の画像選択システムにおいて、
前記表示位置指定手段は、前記表示位置の指定を開始する際には、前記表示位置を所定の順で指定するように予め設定していることを特徴としている。
【００１５】
請求項５記載の発明によれば、表示位置指定手段が、表示位置の指定を開始する際には表示位置を所定の順で指定するように予め設定しているので、表示位置を所定の順で指定したい場合には、選択操作を行わなくとも表示位置の指定開始直後から所定の順で指定することが可能である。
【００１６】
請求項６記載の発明における画像選択システムは、
被写体を撮影し、当該撮影画像の画像信号を出力する撮影手段と、
前記画像信号を画像データとして記憶する記憶手段と、
前記記憶手段に記憶された複数の前記画像データから、少なくとも１つの前記画像データを指定する画像データ指定手段と、
前記画像データ指定手段で指定された前記画像データを読み出す読出手段と、
前記読出手段で読み出された前記画像データを画像として表示する読出画像表示手段と、
前記読出画像表示手段で表示された画像を選択し、当該画像をお気に入り画像として登録するお気に入り画像登録手段と、
前記お気に入り画像登録手段により登録された画像を表示するお気に入り画像表示手段と、
前記お気に入り画像登録手段に表示される複数の画像をグループ化し、当該グループ毎に画像がまとまって表示されるように前記画像の表示位置を指定するグループ表示位置指定手段とを備えることを特徴としている。
【００１７】
請求項６記載の発明によれば、グループ表示位置指定手段が、お気に入り画像登録手段に表示される複数の画像をグループ化し、当該グループ毎に画像がまとまって表示されるように前記画像の表示位置を指定するので、グループ化するための条件の共通するお気に入り画像をまとめて表示することが可能になる。したがって、お気に入り画像を撮影順以外の基準で配列することでき、比較の容易な隣接画像同士を経時的な変化以外で比較することができる。
【００１８】
請求項７記載の発明における画像選択システムは、
被写体を撮影し、当該撮影画像の画像信号を出力する撮影手段と、
前記画像信号を画像データとして記憶する記憶手段と、
前記記憶手段に記憶された複数の前記画像データから、少なくとも１つの前記画像データを指定する画像データ指定手段と、
前記画像データ指定手段で指定された前記画像データを読み出す読出手段と、
前記読出手段で読み出された前記画像データを画像として表示する読出画像表示手段と、
前記読出画像表示手段で表示された画像を選択し、当該画像をお気に入り画像として登録するお気に入り画像登録手段と、
前記お気に入り画像登録手段により登録された画像を表示するお気に入り画像表示手段と、
前記お気に入り画像登録手段に表示される画像の表示位置をランダムに指定するランダム表示位置指定手段とを備えることを特徴としている。
【００１９】
請求項７記載の発明によれば、ランダム表示位置指定手段が、お気に入り画像登録手段に表示される画像の表示位置をランダムに指定するので、お気に入り画像が撮影順に並んで表示されることなく、比較の容易な隣接画像同士を経時的な変化以外で比較することができる。
【００２０】
請求項８記載の発明は、請求項１〜７のいずれか一項に記載の画像選択システムにおいて、
前記読出画像表示手段は前記画像データ指定手段により指定された前記画像データを画像として一覧で表示することを特徴としている。
【００２１】
請求項８記載の発明によれば、読出画像表示手段が画像データ指定手段により指定された画像データを画像として一覧で表示しているので、様々な画像を比較しながらお気に入り画像を選択することができる。
【００２２】
請求項９記載の発明は、請求項８記載の画像選択システムにおいて、
前記お気に入り画像登録手段で選択された画像を、お気に入り画像として登録される以前に表示する登録前表示手段を備えることを特徴としている。
【００２３】
請求項９記載の発明によれば、お気に入り画像登録手段で選択された画像を、登録前表示手段がお気に入り画像として登録される以前に表示しているので、一覧で表示されている画像から、選択された画像だけを抜き出して確認することができる。
【００２４】
請求項１０記載の発明は、請求項１〜９のいずれか一項に記載の画像選択システムにおいて、
前記お気に入り画像登録手段には、前記読出画像表示手段及び前記お気に入り画像表示手段の少なくとも一方の、一度に表示される画像数を指定する表示画像数指定部が設けられ、
前記読出画像表示手段及び前記お気に入り画像表示手段は、前記表示画像数指定部で指定された画像数を基に画像を表示することを特徴としている。
【００２５】
請求項１０記載の発明によれば、読出画像表示手段及びお気に入り画像表示手段が、表示画像数指定部で指定された画像数を基に画像を表示するので、用途に応じた数の画像を表示することができる。
【発明の効果】
【００２６】
本発明によれば、お気に入り画像が撮影順に並んで表示されることなく、比較の容易な隣接画像同士を経時的な変化以外で比較することができる。
【発明を実施するための最良の形態】
【００２７】
以下、添付図面を参照しつつ本発明の実施の形態について説明する。図１は、本実施形態の画像選択システムの概略構成を表すブロック図である。
【００２８】
この画像選択システム１には、写真フィルム、写真乾板等の写真感光材料に画像を記録する主カメラ２と、主カメラ２の視野の少なくとも一部を視野とする補助カメラ３とが備えられている。主カメラ２及び補助カメラ３は、被写体４に対して主カメラ２と補助カメラ３との間で大きな視差が生じないように設置されているために、主カメラ２と補助カメラ３とのアングルはほぼ等しくなっている。
【００２９】
主カメラ２には、シャッタ２１と、シャッタ２１の開放時に画像が記憶される写真感光材料２２とが備えられている。また、主カメラ２には、シャッタ２１の開放に同調して発光するフラッシュ２３がフラッシュ同調接点２４を介して接続されている。
【００３０】
補助カメラ３には、被写体４の画像を電気信号に変換する例えばＣＣＤ等の撮像素子３１が備えられている。ここで補助カメラ３には、１画面分の電気信号を取り出すために、撮像素子３１からの電気信号を通過させるゲート部３２と、ゲート部３２を一時的に開放させる開放信号をゲート部３２に出力する周期部３３とを備えている。周期部３３は、主カメラ２のフラッシュ同調接点２４に接続されているために、主カメラ２のシャッタ２１の開放に同期して、開放信号をゲート部３２に出力するようになっている。この補助カメラ３が本発明に係る撮影手段である。
【００３１】
補助カメラ３のゲート部３２には、記憶手段としてもディスクドライブ５０が接続されている。このディスクドライブ５０によって、ゲート部３２からの画像信号が画像データとしてフレキシブルディスクやハードディスクなどの記憶媒体に記憶されるようになっている。ここで、画像データには、画像信号以外にも主カメラ２や補助カメラ３の撮影条件や、顧客情報、撮影日時などが付帯情報として記憶されていることが好ましい。
【００３２】
このディスクドライブ５０には、表示手段としてのモニタ装置７が接続されていて、このモニタ装置７には、補助カメラ３で撮影された画像が、ディスクドライブ５０によって記憶媒体に記憶されると同時に表示されるようになっている。モニタ装置７には、カラー表示の可能なものが望ましく、通常はＣＲＴが用いられるが、液晶表示器や投影形のモニタ装置であってもよい。モニタ装置７では、主カメラ２で撮影した画像をシャッタ２１の開放後に一定時間表示し、補助カメラ３により撮影した画像を表示する時間を一定時間に制限していることによって、主カメラ２で複数枚の写真を次々に撮影したときに、各画像を順次表示することができる。従って、モニタ装置７の画面を見れば主カメラ２で撮影した被写体４の表情をすぐに確認することができる。
【００３３】
また、ディスクドライブ５０には、撮影画像を選択するために各部を制御する制御装置５が接続されている。この制御装置５には、顧客に撮影画像を提示し、プリント画像として選択させるためのプレゼン用モニタ装置８と、プレゼン用モニタ装置８に表示される画像や、選択された画像を登録するための操作装置６が接続されている。
【００３４】
プレゼン用モニタ装置８には、制御装置５の制御に基づいて、それぞれ個別に表示する複数の第１モニタ部８１、第２モニタ部８２、第３モニタ部８３が設けられている。
【００３５】
操作装置６は、タッチパネル式の操作装置であり、画面上に表示されたプレゼン用モニタ装置８の第１モニタ部８１、第２モニタ部８２、第３モニタ部８３の表示内容や、操作項目などをタッチすることで、その操作内容が制御装置５に出力されるようになっている。なお、本実施形態ではタッチパネル式の操作装置６を例示して説明しているが、ＣＲＴ等の表示部とマウスやキーボードなどの操作部からなる表示部と操作部が別体の操作装置であっても構わない。また、各操作の確認用に音を出すことが望ましい。さらに音が各操作ボタン毎に設定されていれば各操作を聴覚的に確認することができ、操作の正確性を高めることも可能となる。
【００３６】
以下に、操作装置６に表示される操作画面について具体例を挙げて説明する。図２は、操作画面の一例を示す説明図である。この図２の操作画面６１においては、上下で２分割されていて、上部分がプレゼン用モニタ装置８の第１モニタ部８１、第２モニタ部８２、第３モニタ部８３それぞれの表示内容を個別に表示するプレゼン内容確認表示部６２であり、下部分が操作項目を表示する操作項目表示部６３である。
【００３７】
プレゼン内容確認表示部６２には、プレゼン用モニタ装置８の各第１モニタ部８１、第２モニタ部８２、第３モニタ部８３に対応する第１表示欄６２１、第２表示欄６２２、第３表示欄６２３が設けられている。この図２において第１表示欄６２１には複数の撮影画像が一覧になったインデックス画像が表示されている。この第１表示欄６２１中に表示される複数の撮影画像のうち、顧客が興味を持った画像をタッチすれば、その画像の枠が他の画像の枠とは異なる色に着色されるようになっている。
第２表示欄６２２には、第１表示欄６２１でタッチされた画像のみが表示されるようになっている。
第３表示欄６２３には、お気に入り画像として登録した画像が表示される。ここで、お気に入り画像とは、撮影された全画像から顧客がプリントしても良いと判断した画像のことである。
【００３８】
操作項目表示部６３には、様々な操作ボタンが配置されている。具体的には、操作項目表示部６３の左上部に配置されて、ディスクドライブ５０の記憶媒体に記憶された複数の画像データから、特定の顧客に対する画像データを指定するためのお客様切替ボタン６３１が備えられている。また、操作ボタンには、お客様切替ボタン６３１の下方に配置されて、ディスクドライブ５０の記憶媒体を抜き出すためのメディア抜取りボタン６３２と、メディア抜き取りボタン６３２の下方に配置されて、指定された画像データをスライドショーで表示するためのスライドショーボタン６３３とが備えられている。また、スライドショーボタン６３３の下方には、上から順に、ページ選択ボタン６３４と、左画面表示タイプボタン６３５と、インデックス駒数ボタン６３６とが配置されている。
【００３９】
スライドショーボタン６３３の右方には、複数の画像を比較するための画像比較ボタン６３７が配置されている。また、画像比較ボタン６３７の下方には、画像の拡大、縮小等を行うための、大ボタン６３８、小ボタン６３９、元に戻すボタン６４０が配置されている。
【００４０】
また、操作項目表示部６３の右上部には、一度お気に入り画像として登録された画像を、お気に入り画像から解除するためのお気に入りキャンセルボタン６４１が配置されている。このお気に入りキャンセルボタン６４１の下方には、お気に入り画像の表示位置を設定するためのお気に入りフリーレイアウトボタン６４２と、お気に入り画像を確認するためのお気に入り画像確認ボタン６４３と、お気に入り画像を注文するためのご注文ボタン６４４と、お気に入り駒数６４５と、メニュー画面ボタン６４６とが上から順に配列されている。
【００４１】
そして、操作項目表示部６３の中央部には、上から順に、お気に入り登録を開始するためのお気に入り登録ボタン６４７と、第１表示欄６２１でタッチされた画像をお気に入り画像として登録するためのお気に入り指定登録ボタン６４８とが配置されている。お気に入り指定登録ボタン６４８の下方には、指定駒数表示ボタン６４９、選択駒数表示ボタン６５０、印刷ボタン６５１が配置されている。
【００４２】
制御装置５は、操作装置６で操作された内容を基にして、各部を制御するようになっている。制御装置５には、ディスクドライブ５１、制御部１１、画像処理部５２、画面分割部５３、モニタ駆動部２９、ＥＥＰＲＯＭ２６が備えられている。
【００４３】
ディスクドライブ５１は本発明に係る読出手段であるため、ディスクドライブ５０により記憶媒体に記憶された複数の画像データから、操作装置６により指定された画像データを読み出すようになっている。
【００４４】
制御部１１には、ＣＰＵ１１ａ、ＲＯＭ１１ｂ及びＲＡＭ１１ｃが設けられている。
ＣＰＵ１１ａは、ＲＯＭ１１ｂに予め記憶されている制御するためのプログラムを読み出して、ＲＡＭ１１ｃに展開し、展開したプログラムに従って全体の制御を行う。
【００４５】
ＲＯＭ１１ｂは、半導体等の不輝発性メモリで構成されており、制御プログラム、処理プログラム等の各種プログラムや、各種プログラムで参照されるデータ等を予め記億している。
ＲＡＭ１１ｃは、ＣＰＵ１１ａにより実行される各種処理において、ＲＯＭ１１ｂから読み出されたプログラム及び各種データを一時的に記憶する。
【００４６】
画像処理部５２は、制御部１１からの制御信号及びディスクドライブ５１で読み出された画像データを基に画像処理を行うようになっている。
画面分割部５３は、プレゼン用モニタ装置８の各第１モニタ部８１、第２モニタ部８２、第３モニタ部８３に表示される画像数に基づいて、各第１モニタ部８１、第２モニタ部８２、第３モニタ部８３を分割するようになっている。
モニタ駆動部２９は、プレゼン用モニタ装置８の各第１モニタ部８１、第２モニタ部８２、第３モニタ部８３を駆動して、画像処理部５２により出力された画像処理後の画像データを表示させるようになっている。
ＥＥＰＲＯＭ２６は、不揮発性メモリにより構成され、各種動作に使用する調整データ等が予め記憶されている。
【００４７】
次に、本実施形態の作用について説明する。
主カメラ２によって顧客の撮影が行われると、当該撮影に同期して補助カメラ３からディスクドライブ５０に画像信号が出力される。ディスクドライブ５０は記憶媒体に画像信号及び付帯情報を画像データとして記憶する。通常、撮影時においては、化粧、ヘアスタイル、衣装等の容姿に関わる変更や、照明に関する変更には時間や手間がかかる。一方、人物構成、ポーズ、背景色、使用小道具、カメラの設定条件などは容易に変更することが可能である。そのため、効率的な撮影を行うには、同じ容姿、照明で、ポーズや使用小道具などを変えて様々なシーンを撮影してから、容姿、照明を変更し再度複数のシーンを撮影することになる。つまり、時系列的には同一の容姿或いは照明での撮影が続くことになり、記憶媒体には撮影順序にしたがって画像データが記憶されることになる。
【００４８】
撮影終了後、写真館の店員は、撮影された複数の画像を顧客に提示して、これらの画像の中からプリントする画像を選択させる。以下に、このプリント画像選択処理について図３のフローチャートを参照に説明する。
【００４９】
店員は、操作装置６の操作画面６１のお気に入り登録ボタン６４７をタッチして、プリント画像選択処理を開始する。プリント画像選択処理の開始に伴って店員は、顧客に対応する画像データをプレゼン用モニタ装置８の第１モニタ部８１に表示させる。通常、記憶媒体には複数の顧客の画像データが記憶されているので、店員がお客様切替ボタン６３１をタッチして顧客情報を指定すれば、制御装置５は、ディスクドライブ５１を制御して、記憶媒体に記憶された複数の画像データから、提示相手である顧客に対応した画像データを読み出す（ステップＳ１）。この際、制御装置５は、画像データの付帯情報である顧客情報を基にして、提示相手の顧客の画像データを指定する。つまり、制御装置５が、記憶媒体に記憶された複数の画像データから少なくとも１つの画像データを指定する画像データ指定手段であり、ディスクドライブ５１が、操作装置６により指定された画像データを読み出す読出手段である。
【００５０】
そして、制御装置５は、指定された全ての画像データを画像として一覧で、第１表示欄６２１及び第１モニタ部８１に表示させる（ステップＳ２）。つまり、第１表示欄６２１及び第１モニタ部８１が本発明に係る読出画像表示手段である。なお、本実施形態では、第１表示欄６２１及び第１モニタ部８１の一画面あたり９つの画像が表示されるようにしているが、一画面あたりに表示される画像数はこれに限られず、例えば４画像、１６画像が挙げられる。また、顧客の画像データが一画面あたりの表示画像数よりも多い場合には、画面をスクロールすることで全ての画像データを画像として表示するようになっている。
【００５１】
第１表示欄６２１及び第１モニタ部８１に画像が一覧で表示されると、お気に入り画像の登録を開始するため、店員はお気に入り登録ボタン６４７をタッチする（ステップＳ３）。具体的には、お気に入り画像の登録が開始されると、店員は顧客が第１モニタ部８１を見て興味を持った画像を第２モニタ部８２で表示させるべく、当該画像が表示されている第１表示欄６２１中の枠内をタッチする。これにより、第２表示欄６２２及び第２モニタ部８２には、顧客が興味を持った画像のみが表示されることになる。顧客は第２モニタ部８２に映った画像を再度確認して、納得できる画像であればその旨を店員に伝える。店員は、顧客の指示にしたがって当該画像をお気に入り画像とするために、お気に入り指定登録ボタン６４８をタッチする。このように、操作装置６が本発明に係るお気に入り画像登録手段である。
【００５２】
そして、この際店員は自分が意図する枠内にお気に入り画像を配置するために、第３表示欄６２３の任意の枠をタッチしておく。このように操作装置６が操作されれば、制御装置５はその操作に基づいて、第３表示欄６２３のタッチされた枠に対応する第３モニタ部８３の該当枠を画像の表示位置として指定する。つまり操作装置６及び制御装置５が本発明に係る表示位置指定手段である。そして、これを顧客が全ての画像をチェックするまで繰り返す。
【００５３】
撮影された全ての画像に対して、プリントするか否かの選定が完了すると、店員はお気に入り画像確認ボタン６４３をタッチする。これに基づき、第３表示欄６２３の表示内容と同様の表示内容が第３モニタ部８３に表示される。つまり、第３表示欄６２３と第３モニタ部８３とが本発明に係るお気に入り画像表示手段である。
顧客は、第３モニタ部８３に表示されたお気に入り画像の一覧を再度確認して、お気に入り画像に適さない画像があればその旨を店員に伝える。店員は、第３表示欄６２３に表示されるお気に入り画像のうち、お気に入り画像に適さないと指示された画像をタッチしてから、お気に入りキャンセルボタン６４１をタッチする。これにより、タッチされた画像は、第３表示欄６２３及び第３モニタ部８３から消去されて、お気に入り画像としての登録も解除される（ステップＳ４）。
【００５４】
再確認が完了すると、店員はご注文ボタン６４４をタッチして、第３表示欄６２３及び第３モニタ部８３に表示されているお気に入り画像のプリント注文を確定させる（ステップＳ５）。
【００５５】
以上のように、本実施形態の画像選択システム１によれば、お気に入り画像として登録された画像の表示位置が、店員（ユーザ）の操作に基づいて指定されるので、お気に入り画像を撮影順以外の基準で配列することが可能となる。したがって、比較の容易な隣接画像同士を経時的な変化以外で比較することができる。
ここで、撮影時の容姿や照明が異なっていたとしても、ポーズや背景色が同じ場合もあるが、従来ではお気に入り画像として登録した際、撮影順に並んでしまうので、同一のポーズや背景色の画像を隣接させて表示させることは困難であった。しかしながら、上述したようにお気に入り画像として登録された画像の表示位置が、店員の操作に基づいて指定できれば、店員や顧客の意図する基準でお気に入り画像を配列できるために、例えば同一のポーズや背景色の画像を隣接させて表示することが容易に行うことができる。
【００５６】
また、指定された画像データを画像として一覧で、第１表示欄６２１及び第１モニタ部８１が表示しているので、様々な画像を比較しながらお気に入り画像を選択することができる。つまり、第１表示欄６２１及び第１モニタ部８１が本発明に係る読出画像表示手段である。
そして、お気に入り画像として選択された画像は、お気に入り画像として登録される以前に、第２表示欄６２２及び第２モニタ部８２に表示されるので、一覧で表示されている画像から、選択された画像だけを抜き出して確認することができる。つまり、第２表示欄６２２及び第２モニタ部８２が本発明に係る登録前表示手段である。
【００５７】
なお、本発明は上記実施形態に限らず適宜変更可能であるのは勿論である。
例えば、本実施形態では、プリント画像選択処理時に顧客の画像が第１モニタ部８１及び第１表示欄６２１に一覧で表示されて、お気に入り画像は第３モニタ部８３及び第３表示欄６２３に表示される場合について説明したが、第１モニタ部８１、第３モニタ部８３、第１表示欄６２１、第３表示欄６２３の全てでお気に入り画像を表示する構成であっても構わない。
【００５８】
例えば、図２の操作画面６１にはスライドショーボタン６３３が備えられているが、プリント画像選択処理時にスライドショーボタン６３３がタッチされると、図４に示すように操作画面６１上に新たな補助ウインドウ７０が表示される。この補助ウインドウ７０には、第１表示欄６２１、第２表示欄６２２、第３表示欄６２３のそれぞれに対応する第１補助欄７０１、第２補助欄７０２、第３補助欄７０３が設けられている。第１補助欄７０１及び第３補助欄７０３は、第１表示欄６２１及び第２表示欄６２３と同数だけ画像を表示できるようになっている。この補助ウインドウ７０が出現すると、その出現とともに、第２モニタ部８２、第２表示欄６２２及び第２補助欄７０２には、顧客の撮影画像が所定の時間毎に１つずつ順次表示される。顧客は、第２モニタ部８２に表示される画像で気に入ったものがあれば、店員に伝える。店員は、その指示にしたがって、お気に入り登録ボタン６４７をタッチする。この際、店員は自分が意図する枠内にお気に入り画像を配置するために、第１補助欄７０１若しくは第３補助欄７０３の任意の枠をタッチしておく。これにより、制御装置５が、タッチされた枠に対応する第１表示欄６２１若しくは第３表示欄６２３にお気に入り画像を表示させることになる。これを顧客が全ての画像をチェックするまで繰り返す。
【００５９】
撮影された全ての画像に対して、プリントするか否かの選定が完了すると、店員は補助ウインドウ７０を移動させ、お気に入り画像確認ボタン６４３を露出させて、お気に入り画像確認ボタン６４３をタッチする。これに基づき、第１表示欄６２１及び第３表示欄６２３のそれぞれの表示内容が第１モニタ部８１及び第３モニタ部８３に反映されて表示される。これにより、お気に入り画像の再確認時においては、顧客はより多くの画像を見ながら評価することが可能になる。なお、この場合においては第２モニタ部８２が本発明に係る読出画像表示手段である。
【００６０】
また、お気に入り画像を登録する度に逐一表示位置を指定しなくとも、お気に入り画像の登録が完了した後に、表示位置を指定するようにしてもよい。
例えば、図２の操作画面６１にはお気に入りフリーレイアウトボタン６４２が備えられているが、プリント画像選択処理時にお気に入りフリーレイアウトボタン６４２がタッチされると、図５に示すように操作画面６１上に新たなフリーレイアウトウインドウ８０が表示される。このフリーレイアウトウインドウ８０の上方には、プレゼン用モニタ装置８の各第１モニタ部８１、第２モニタ部８２、第３モニタ部８３に対応する第１表示欄８０１、第２表示欄８０２、第３表示欄８０３が設けられていて、その下方にはお気に入り画像として登録された画像が一覧で表示される一覧表示欄８０４が設けられている。この一覧表示欄８０４にはキャンセルボタン８０５と、メイン画面ボタン８０６と、スクロールボタン８０７，８０８、フリー指定ボタン８１３、順次指定ボタン８１４が設けられている。フリー指定ボタン８１３及び順次指定ボタン８１４は、お気に入り画像の表示位置指定の方式を選択するためのものであり、フリー指定ボタン８１３がタッチされるとお気に入り画像の表示位置が順不同で指定されることになり、順次指定ボタン８１４がタッチされるとお気に入り画像の表示位置が所定の順で指定されることになる。操作装置６及び制御装置５は、フリー指定ボタン８１３及び順次指定ボタン８１４への入力に基づいて、表示位置の指定を所定の順若しくは順不同で行うことを選択するようになっている。
そして、一覧表示欄８０４に画像が一覧で表示されると、店員はお気に入り画像の表示位置を指定する。この表示位置の指定を開始する際には、操作装置６及び制御装置５は予め表示位置指定の方式を、所定の順で表示位置が指定される方式に設定している。
【００６１】
具体的に説明すると、表示位置指定開始時には、所定の順で表示位置が指定される方式が設定されているために、一覧表示欄８０４中の全画像は所定の順にしたがって順序付けされる。ここで、所定の順としては、撮影順や、お気に入り画像への登録順などが挙げられるがこれに限定されるものではない。
そして、初めに表示位置の指定される画像として、一覧表示欄８０４中の順序の最も早い画像（第１位画像）が選択される。この際選択された第１位画像の枠は、例えば白から青というように従前の色から異なる色に変色される。その後店員が、自分の意図する表示位置となる第１表示欄８０１若しくは第３表示欄８０３の枠をタッチすると、一覧表示欄８０４中の第１位画像が、表示位置として指定された第１表示欄８０１若しくは第３表示欄８０３の枠に表示される。表示位置が指定されると、一覧表示欄８０４中の第１位画像は表示位置の指定済みが視認できるように、明度を落として表示される。
【００６２】
第１位画像の表示位置が指定されたら、次の順位の画像（第２位画像）が表示位置の指定される画像として選択されて、第２位画像の枠も変色される。その後店員が、自分の意図する表示位置となる第１表示欄８０１若しくは第３表示欄８０３の枠をタッチすると、一覧表示欄８０４中の第２位画像が、表示位置として指定された第１表示欄８０１若しくは第３表示欄８０３の枠に表示される。表示位置が指定されると、一覧表示欄８０４中の第２位画像は表示位置の指定済みが視認できるように、明度を落として表示される。これを一覧表示欄８０４中の全画像に対して行うことで、お気に入り画像の表示位置が指定される。
【００６３】
一方、店員が表示位置指定開始時にフリー指定ボタン８１３をタッチしていれば、所定の順で表示位置が指定される方式から、順不同で表示位置が指定される方式に切り替わる。このように表示位置指定の方式が切り替われば、店員は一覧表示欄８０４中の任意の画像をタッチする。これにより、タッチされた画像の枠は、例えば白から青というように従前の色から異なる色に変色される。その後店員が、自分の意図する表示位置となる第１表示欄８０１若しくは第３表示欄８０３の枠をタッチすると、先にタッチされていた一覧表示欄８０４中の画像が、表示位置として指定された第１表示欄８０１若しくは第３表示欄８０３の枠に表示される。表示位置が指定されると、一覧表示欄８０４中の画像は表示位置の指定済みが視認できるように、明度を落として表示される。
【００６４】
また、表示位置を指定する際に、タッチした第１表示欄８０１若しくは第２表示欄８０２の枠がすでに指定済みである場合には、「上書きしますか」等の警告メッセージが表示されて、上書きするか否かの選択を店員に促す。上書きしないことを店員が選択した場合には、再度第１表示欄８０１若しくは第２表示欄８０２の枠の選択を促す。一方、上書きすることを店員が選択した場合には、表示位置として指定された枠内に新たな画像を表示させる。この際、従前にその枠を表示位置として指定されていた一覧表示欄８０４の画像は、通常の明度で表示される。
【００６５】
なお、一覧表示欄８０４中の全画像に対して表示位置指定が完了していない場合でも、フリー指定ボタン８１３、順次指定ボタン８１４がタッチされれば、お気に入り画像の表示位置指定の方式が切り替わってもよい。
このように、表示位置の指定が順不同で行われる場合には、店員の意図する順序で表示位置を指定することが可能となる。一方、表示位置の指定が所定の順で行われる場合には、店員により指定順序が入力される操作工程を省略することができ、表示位置の指定にかかる時間を短縮することが可能となり、顧客を待たせないことにも繋がる。
【００６６】
表示位置の指定後、その指定を解除する際には、解除したい第１表示欄８０１若しくは第２表示欄８０２の枠をタッチして、一覧表示欄８０４のキャンセルボタン８０５をタッチすれば、タッチされていた枠中の画像は消去されて、当該画像に対応する一覧表示欄８０４の画像は通常の明度で表示される。
【００６７】
そして、メイン画面ボタン８０６をタッチすると、今までの表示位置指定結果を反映させて第１モニタ部８１及び第３モニタ部８３にお気に入り画像を表示させて、図２の操作画面６１に戻る。このとき、一覧表示欄８０４中の全画像に対して表示位置が指定されていない場合には、「全て選択していませんが、基本操作ウインドウに戻りますか？」等の警告メッセージが表示される。基本操作ウインドウに戻ることを店員が選択した場合には、表示位置が指定されなかった画像は、お気に入り画像から解除し、指定済みの画像だけを、表示位置として指定された枠に表示させる。一方、基本操作ウインドウに戻らないことを店員が選択した場合には、フリーレイアウトウインドウ８０に戻る。
【００６８】
また、本実施形態では、お気に入り画像の表示位置が店員の操作に基づいて指定される場合を例示して説明したが、例えば制御装置５が複数の画像データを画像処理部５２によって画像処理させたり、画像データの付帯情報を制御部１１で解析させたりすることにより、複数の画像を共通項毎にグループ化して、グループ毎に画像をまとめて第３モニタ部８２に表示させてもよい。つまり、こうした場合には、制御装置５が本発明に係るグループ表示位置指定手段である。
画像処理によりグループ化が可能な条件としては、例えば人数や組み合わせなどの被写体の人物構成や、笑顔、顔立ち、立ち姿、手足の格好などの被写体の容姿、背景色、使用小道具等が挙げられる。
付帯情報の解析によりグループかが可能な条件としては、例えば画角、アングル、フィルター、シャッタースピード、絞りなどが挙げられる。なお、これらの情報は、撮影時に補助カメラ３が画像データの付帯情報として出力している。
【００６９】
このように、制御装置５が、第３モニタ部８３に表示される複数の画像をグループ化し、当該グループ毎に画像がまとまって表示されるように前記画像の表示位置を指定していれば、グループ化するための条件の共通するお気に入り画像をまとめて表示することが可能になる。したがって、お気に入り画像を撮影順以外の基準で配列することでき、比較の容易な隣接画像同士を経時的な変化以外で比較することができる。
【００７０】
さらに、店員の意図や、グループ化を基にして、お気に入り画像の表示位置を決定しなくとも、制御装置５が第３モニタ部８３に表示される画像の表示位置をランダムに指定してもよい。こうした場合においても、お気に入り画像が撮影順に並んで表示されることなく、比較の容易な隣接画像同士を経時的な変化以外で比較することができる。つまり、制御装置５が本発明に係るランダム表示位置指定手段である。
【００７１】
図６は、図５のフリーレイアウトウインドウ８０の変形例を表す説明図である。この図６のフリーレイアウトウインドウ８０Ａにおける一覧表示８０８には、お気に入り画像の表示位置をランダムで指定するためのランダムボタン８０９と、お気に入り画像がグループ毎にまとめて表示されるように表示位置を指定するためのグループボタン８１０と、お気に入り画像の表示位置を撮影順で指定するための撮影順ボタン８１１とが設けられている。
【００７２】
店員がランダムボタン８０９をタッチすると、制御装置５によりお気に入り画像の表示位置が第３表示欄８０３の枠内からランダムに指定され、一覧表示欄８０４中の画像が指定された表示位置で、第３表示欄８０３及び第３モニタ部８３に順次表示されることになる。
【００７３】
また、店員が撮影順ボタン８１１をタッチすると、制御装置５によりお気に入り画像の表示位置が第３表示欄８０３の枠内で撮影順に配列されるように指定され、一覧表示欄８０４中の画像が、指定された表示位置で、第３表示欄８０３及び第３モニタ部８３に順次表示されることになる。
【００７４】
そして、店員がグループボタン８１０をタッチすると、図７に示すグループ化の条件を指定するためのグループ配置指定ウインドウ８２０がフリーレイアウトウインドウ８０Ａ上に表示される。
このグループ配置指定ウインドウ８２０には、人数を条件として指定するための人数ボタン８２１と、表情を条件として指定する表情ボタン８２２と、ポーズを条件として指定するためのポーズボタン８２３と、背景色を条件として指定するための背景色ボタン８２４と、小道具を条件として指定するための小道具ボタン８２５と、カメラ設定を条件として指定するためのカメラ設定ボタン８２６と、ＯＫボタン８２７と、キャンセルボタン８２８とが設けられている。
【００７５】
グループ配置指定ウインドウ８２０が表示されると、店員は顧客の希望するグループ化の条件に対応したボタンをタッチして、ＯＫボタン８２７をタッチする。例えば、顧客の希望するグループ化の条件がカメラ設定である場合には、店員はカメラ設定ボタン８２６をタッチして、ＯＫボタン８２７をタッチする。ＯＫボタン８２７がタッチされると、図８に示すような、カメラ設定条件をさらに細かく指定するためのカメラ設定ウインドウ８３０がグループ配置指定ウインドウ８２０上に表示される。
このカメラ設定ウインドウ８３０には、画角を条件として指定するための画角ボタン８３１と、アングルを条件として指定するためのアングルボタン８３２と、フィルターを条件として指定するためのフィルターボタン８３３と、シャッタースピードを条件として指定するためのシャッタースピードボタン８３４と、絞りを条件として指定するための絞りボタン８３５と、ＯＫボタン８３６と、キャンセルボタン８３７とが設けられている。
【００７６】
カメラ設定ウインドウ８３０が表示されると、店員は顧客の希望するグループ化の条件に対応したボタンをタッチして、ＯＫボタン８２７をタッチする。例えば、顧客の希望するグループ化の条件がアングルである場合には、店員はアングルボタン８３２をタッチして、ＯＫボタン８３６をタッチする。ＯＫボタン８３６がタッチされると、制御装置５は、一覧表示欄８０４中に表示されている複数の画像の付帯情報から、アングルに関する情報を基にして各画像をグループ化する。その後、お気に入り画像が第３表示欄８０３の枠内でグループ毎にまとまって配列されるように制御装置５により表示位置が指定され、一覧表示欄８０４中の画像が、指定された表示位置で第３表示欄８０３及び第３モニタ部８３に順次表示されることになる。この際、グループ毎に画像の枠を色分けしておけば、各グループの確認を容易に行うことができる。また、グループ毎にまとめて表示位置を移動させることも可能である。
【００７７】
ここで、上記のフリーレイアウトウインドウ８０，８０Ａにおいては、第１表示欄８０１及び第３表示欄８０３で一度に表示される画像数が９つに固定されているが、用途に応じた数の画像を一度に表示できるように前記画像数を変更できるようにしてもよい。
図９は、第１表示欄８０１及び第３表示欄８０３の画像数を変更可能なフリーレイアウトウインドウ８０Ｂを示す説明図である。以下、このフリーレイアウトウインドウ８０Ｂについて説明するが、図５に示すフリーレイアウトウインドウ８０と同一部分においては同一符号を付してその説明を省略する。
【００７８】
図９に示すように、フリーレイアウトウインドウ８０Ｂにおける第１表示欄８０１の下方には、第１表示欄８０１で一度に表示される画像数を指定するための第１表示欄用指定エリア９１が配置されている。同様に第３表示欄８０３の下方には、第３表示欄８０３で一度に表示される画像数を指定するための第３表示欄用指定エリア９３が配置されている。第１表示欄用指定エリア９１及び第３表示欄用指定エリア９３には、画像数を４駒にする４駒チェックボックス９１１，９３１と、画像数を６駒にする６駒チェックボックス９１２，９３２と、画像数を９駒にする９駒チェックボックス９１３，９３３と、画像数を１６駒にする１６駒チェックボックス９１４，９３４とが設けられている。４駒チェックボックス９１１，９３１、６駒チェックボックス９１２，９３２、９駒チェックボックス９１３，９３３、１６駒チェックボックス９１４，９３４のいずれかがチェックされると、制御装置５はその操作に基づいて、第１表示欄８０１及び第１モニタ部８１と、第３表示欄８０３及び第３モニタ部８３との表示内容を指定された画像数に対応するように制御する。つまり、第１表示欄用指定エリア９１及び第３表示欄用指定エリア９３が、本発明に係る表示画像数指定部である。図１０は、各駒の配列例を表す説明図である。画像数が４駒の場合には図１０（ａ）に示すように２行２列のマトリクス状に画像が配列され、画像数が６駒の場合には図１０（ｂ）に示すように２行３列のマトリクス状に画像が配列され、画像数が９駒の場合には図１０（ｃ）に示すように３行３列のマトリクス状に画像が配列され、画像数が１６駒の場合には図１０（ｄ）に示すように４行４列のマトリクス状に画像が配列される。ここで、図１０（ａ），（ｃ），（ｄ）の配列例では横長画像を配列するのに適しており、図１０（ｂ）の配列例では縦長画像を配列するのに適している。
【００７９】
また、第１表示欄用指定エリア９１の側方には、第１表示欄用指定エリア９１での指定操作を第３表示欄８０３に連動させるための連動ボタン９２が配置されている。この連動ボタン９２がタッチされると、連動ボタン９２の色が変わり、第１表示欄用指定エリア９１に対する指定操作に連動して、第３表示欄用指定エリア９３の指定操作も決定することになる。また、変色した状態の連動ボタン９２を再度タッチすれば、元の色に戻って連動が解除されることになる。通常は、初期設定が連動状態であることが望ましい。
【００８０】
また、本実施形態では、お気に入り画像をそのままプリント注文する場合を例示して説明したが、注文以前にお気に入り画像に対して加工を施すようにしてもよい。加工としては例えばマスキングなどが挙げられる。図１１は、マスキングを可能とする操作画面６１Ａを表す説明図である。以下、この操作画面６１Ａについて説明するが、図２に示す操作画面６１と同一部分においては同一符号を付してその説明を省略する。
【００８１】
図１１に示すように、操作画面６１Ａにおけるインデックス駒数ボタン６３６の下方には、マスクタイプを選択するためのマスク選択エリア７１０が設けられている。このマスク選択エリア７１０には、複数のチェックボックス７１１，７１２，７１３，７１４，７１５，７１６が設けられている。チェックボックス７１１がチェックされると、第３表示欄６２３及び第３モニタ部８３に表示されているお気に入り画像にはマスキングが施されない。一方、チェックボックス７１２，７１３，７１４，７１５，７１６には、それぞれ異なるマスクパターンが登録されていて、いずれかのチェックボックス７１２，７１３，７１４，７１５，７１６がチェックされると、第３表示欄６２３及び第３モニタ部８３に表示されているお気に入り画像に対してそのマスクパターンがマスキングされるようになっている。ここで、図１２はマスクパターンの一例を示す説明図である。マスクパターンには、図１２（ａ）に示すようなハート型のマスクパターン９１０や、図１２（ｂ）に示すような円形のマスクパターン９２０、図１２（ｃ）に示すような星形のマスクパターン９３０などが挙げられる。マスクパターンは制御装置５のディスクドライブ５１に記憶されていて、制御装置５は操作装置６からの入力信号に基づいて、チェックされたチェックボックス７１２，７１３，７１４，７１５，７１６に対応するマスクパターンを読み出し、第３表示欄６２３及び第３モニタ部８３に表示されているお気に入り画像に対してマスキングを施すようになっている。
【００８２】
なお、マスクパターンは、予めディスクドライブ５１に記憶されたマスクパターンの画像ファイルだけでなく、Ｅ−ｍａｉｌやｗｅｂからダウンロードされたマスクパターンの画像ファイルや、個人が作成したマスクパターンの画像ファイルなどインポートして登録されることが好ましい。
【００８３】
また、本実施形態では、画像データに付帯情報として顧客情報が予め記憶されている場合を例示して説明したが、この顧客情報はインポート或いはエクスポートすることも可能である。図１３は、注文時における顧客情報入力画面を表す説明図である。図１３に示すように、顧客情報入力画面９００には、顧客情報が一覧となって表示される顧客リスト欄９４０と、顧客情報が入力される入力欄９５０と、各種実行内容が選択される選択欄９６０とが設けられている。
【００８４】
顧客リスト欄９４０では、各顧客の顧客番号、代表者か否か、姓、名、電話番号、生年月日、性別が一覧で表示されるようになっている。
入力欄９５０では、顧客の顧客番号、代表者か否か、姓、名、電話番号、生年月日、性別、住所、携帯電話番号、メールアドレス、代表者との関係などが入力されるようになっている。
【００８５】
選択欄９６０には、顧客を検索するための検索ボタン９６１と、顧客情報を更新するための更新ボタン９６２と、顧客リスト欄９４０で選択された顧客情報を削除するための削除ボタン９６３と、入力欄９５０に記入された顧客情報を消去するためのクリアボタン９６４と、顧客情報に注文情報を付与してＣＳＶ形式のファイルを作成するためのＣＳＶ作成ボタン９６５と、他の顧客管理ソフトで作成された顧客データをインポートするためのインポートボタン９６６と、顧客情報入力画面９００を閉じるための閉じるボタン９６７とが設けられている。
【００８６】
注文確定時に、インポートボタン９６６がタッチされると、制御装置５は、他の顧客管理ソフトで作成された顧客データをインポートして、その顧客データに基づく顧客情報を顧客リスト欄９４０に表示する。
その後、顧客リスト欄９４０で顧客情報が選択され、ＣＳＶ作成ボタン９６５がタッチされると、制御装置５は注文情報と選択された顧客情報とを基にＣＳＶ形式のファイルを作成し、エクスポートするようになっている。これにより、他の顧客管理ソフトであっても注文情報の付与された顧客情報をインポートすることが可能になる。また、他のプリント生産システムや画像通信システムとも各種情報交換が可能となる。
【００８７】
なお、ここではＣＳＶ形式のファイルを例示して説明したが、他のソフトでエクスポート、インポートが可能であればファイル形式はこれに限定されるものではなく、例えばｘｍｌ形式が挙げられる。このように他のソフトでのエクスポート、インポートが可能であれば、従来の顧客管理システムやプリント生産システム、画像通信システムとの顧客情報や注文情報の交換が可能となり、本発明に係る画像選択システムの導入や活用が容易となり、さらには将来のバージョンアップやシステム変更も容易となる。
【図面の簡単な説明】
【００８８】
【図１】本実施形態に係る画像選択システムの概略構成を表すブロック図である。
【図２】図１の画像選択システムの操作装置に表示される操作画面の一例を示す説明図である。
【図３】図１の画像選択システムにおけるプリント画像選択処理のフローチャートを示す説明図である。
【図４】図２の操作画面の変形例を示す説明図である。
【図５】図２の操作画面の変形例であるフリーレイアウトウインドウを示す説明図である。
【図６】図５のフリーレイアウトウインドウの変形例を示す説明図である。
【図７】図６のフリーレイアウトウインドウ上に表示されるグループ配置指定ウインドウを示す説明図である。
【図８】図７のグループ配置指定ウインドウ上に表示されるカメラ設定ウインドウを示す説明図である。
【図９】図５のフリーレイアウトウインドウの変形例を表す説明図である。
【図１０】図９のフリーレイアウトウインドウにおける第１表示欄及び第３表示欄の各駒の配列例を表す説明図である。
【図１１】図２の操作画面の変形例を示す説明図である。
【図１２】図９の操作画面によりマスキングされるマスキングパターンの一例を示す説明図である。
【図１３】図２の操作装置に表示される顧客情報入力画面の一例を表す説明図である。
【符号の説明】
【００８９】
１      画像選択システム
３      補助カメラ（撮影手段）
５      制御装置（画像データ指定手段、表示位置指定手段、グループ表示位置指定手段、ランダム表示位置指定手段）
６      操作装置（お気に入り画像登録手段、表示位置指定手段）
５０      ディスクドライブ（記憶手段）
５１      ディスクドライブ（読出手段）
８１      第１モニタ部（読出画像表示手段）
８２      第２モニタ部（登録前表示手段）
８３      第３モニタ部（お気に入り画像表示手段）
９１      第１表示欄用指定エリア（表示画像数指定部）
９３      第３表示欄用指定エリア（表示画像数指定部）
６２１      第１表示欄（読出画像表示手段）
６２２      第２表示欄（登録前表示手段）
６２３      第３表示欄（お気に入り画像表示手段）
【図１】
2006025383.tif 000003
【図２】
2006025383.tif 000004
【図３】
2006025383.tif 000005
【図４】
2006025383.tif 000006
【図５】
2006025383.tif 000007
【図６】
2006025383.tif 000008
【図７】
2006025383.tif 000009
【図８】
2006025383.tif 000010
【図９】
2006025383.tif 000011
【図１０】
2006025383.tif 000012
【図１１】
2006025383.tif 000013
【図１２】
2006025383.tif 000014
【図１３】
2006025383.tif 000015